(57)【特許請求の範囲】
【請求項１】
接続された他の通信装置へ第１または第２の機能に基づいて情報を送信する送信手段と、
前記第１の機能に基づいて情報を送信する際に、自装置に関する呼設定手順の状態をあらわす状態値に応じて、前記他の通信装置との間における自装置の呼設定手順が呼接続完了以前の状態か否かを判断する第１の判断手段と、
前記第１の判断手段の判断結果に応じて、前記第２の機能に基づいて情報を送信する機能フォールバック手段を備えたことを特徴とする通信端末装置。
【請求項２】
前記第１の機能はグループ４ファクシミリ伝送機能であり、前記第２の機能はグループ３ファクシミリ伝送機能であることを特徴とする請求項１記載の通信端末装置。
【請求項３】
接続された他の通信装置へ複数の発呼パラメータの一つに基づいて発呼する発呼手段と、
前記複数の発呼パラメータの一つに基づいて発呼する際に、自装置に関する呼設定手順の状態をあらわす状態値に応じて、前記他の通信装置との間における自装置の呼設定手順が呼接続完了以前の状態か否かを判断する第２の判断手段と、
前記第２の判断手段の判断結果に応じて、前記複数のパラメータの他に基づいて発呼する発呼パラメータフォールバック手段を備えたことを特徴とする通信端末装置。
【請求項４】
前記複数の発呼パラメータは、伝達能力をあらわす「３．１ＫＨｚオーディオ」および「通話」を少なくとも含むことを特徴とした請求項３記載の通信端末装置。
【請求項５】
前記自装置に関する呼設定手順の状態をあらわす状態値は、ＴＴＣ標準ＪＴ−Ｑ９３１に規定されたＤチャネルレイヤ３における呼設定手順のステートをあらわす状態値であることを特徴とする請求項１または請求項２または請求項３または請求項４記載の通信端末装置。
【発明の詳細な説明】
【０００１】
【発明の属する技術分野】
本発明は、複数の端末機能または複数の発呼パラメータを備えた通信端末装置に関する。
【０００２】
【従来の技術】
従来、ＩＳＤＮを伝送路として用いるＩＳＤＮファクシミリ装置は、グループ４ファクシミリ端末機能とグループ３ファクシミリ端末機能を備え、例えば、発呼時、相手端末の端末機能にあわせたいずれかの端末機能を選択的に使用している。
【０００３】
また、このようなＩＳＤＮファクシミリ装置では、最初にグループ４ファクシミリ端末機能を選択した状態で発呼動作した際、相手端末が応答しない等の理由により接続が失敗した場合に、網から通知される切断メッセージ中の理由表示情報要素の値に基づき、グループ３ファクシミリ端末機能を選択した状態に切り換えて、再発呼動作を行うようにしている。
【０００４】
このような端末機能の切換動作は、フォールバック機能と呼ばれ、それにより、例えば、発呼操作したユーザが相手端末の装置機能を間違えていた場合でも、適切に通信動作を行えることとなる。
【０００５】
【発明が解決しようとする課題】
しかしながら、このような従来装置では、次のような不具合を生じていた。
【０００６】
すなわち、網から応答される理由表示情報要素の値に応じてフォールバックするとき、フォールバック可能な理由表示情報要素の値が国によって異なり、また、規格の変更や理由表示情報要素の利用状況（頻度）等が原因となって、フォールバックする理由表示情報要素の値を変更する必要が出てくることがあり、フォールバック条件を迅速に変更する必要があり、手間がかかるという問題があった。
【０００７】
本発明は、かかる実情に鑑みてなされたものであり、通信動作のフォールバックを適切に行えるようにした通信端末装置を提供することを目的としている。
【０００８】
【課題を解決するための手段】
本発明は、接続された他の通信装置へ第１または第２の機能に基づいて情報を送信する送信手段と、前記第１の機能に基づいて情報を送信する際に、自装置に関する呼設定手順の状態をあらわす状態値に応じて、前記他の通信装置との間における自装置の呼設定手順が呼接続完了以前の状態か否かを判断する第１の判断手段と、前記第１の判断手段の判断結果に応じて、前記第２の機能に基づいて情報を送信する機能フォールバック手段を備えたものである。
【０００９】
また、前記第１の機能はグループ４ファクシミリ伝送機能であり、前記第２の機能はグループ３ファクシミリ伝送機能である。
【００１０】
また、接続された他の通信装置へ複数の発呼パラメータの一つに基づいて発呼する発呼手段と、前記複数の発呼パラメータの一つに基づいて発呼する際に、自装置に関する呼設定手順の状態をあらわす状態値に応じて、前記他の通信装置との間における自装置の呼設定手順が呼接続完了以前の状態か否かを判断する第２の判断手段と、前記第２の判断手段の判断結果に応じて、前記複数のパラメータの他に基づいて発呼する発呼パラメータフォールバック手段を備えたものである。
【００１１】
また、前記複数の発呼パラメータは、伝達能力をあらわす「３．１ＫＨｚオーディオ」および「通話」を少なくとも含む。
【００１２】
また、前記自装置に関する呼設定手順の状態をあらわす状態値は、ＴＴＣ標準ＪＴ−Ｑ９３１に規定されたＤチャネルレイヤ３における呼設定手順のステートをあらわす状態値である。
【００２０】
【発明の実施の形態】
以下、添付図面を参照しながら、本発明の実施の形態を詳細に説明する。
【００２１】
図１は、本発明の一実施例にかかるＩＳＤＮファクシミリ装置を示している。このＩＳＤＮファクシミリ装置は、ＩＳＤＮを伝送路として用いるとともに、グループ３ファクシミリ装置機能、グループ４ファクシミリ装置機能、および、通話機能を備えている。
【００２２】
同図において、制御部１は、このＩＳＤＮファクシミリ装置の動作制御処理、グループ３ファクシミリ伝送手順処理、上位レイヤのグループ４ファクシミリ伝送手順処理、および、通話手順処理を実行するものであり、システムメモリ２は、制御部１が実行する処理プログラムおよびその処理プログラムを実行するために必要な各種データを記憶するとともに、制御部１のワークエリアを構成するものである。
【００２３】
パラメータメモリ３は、このＩＳＤＮファクシミリ装置に固有な各種の情報を記憶するためのものであり、バッテリバックアップされたＳＲＡＭ（スタティック型ランダム・アクセス・メモリ）などデータを書き換え可能な不揮発性の半導体記憶装置からなる。
【００２４】
キャラクタジェネレータ４は、種々のフォントデータを発生するためのものであり、時計回路５は、現在時刻情報を得るためのものであり、スキャナ６は、原稿画像をグループ４ファクシミリ装置機能に設定されている解像度で読み取るためのものであり、プロッタ７は、画像をグループ４ファクシミリ装置機能に設定されている解像度で記録出力するものである。
【００２５】
操作表示部８は、このＩＳＤＮファクシミリ装置を操作するためのものであり、各種の操作キー、および、オペレータへのガイダンス情報等を表示するための液晶表示器などの各種の表示装置からなる。
【００２６】
符号化復号化部９は、画信号を所定の符号化方式（ＭＨ，ＭＲ，ＭＭＲなど）で符号化圧縮するとともに、符号化圧縮された状態の画情報を元の画信号に復号化するためのものであり、画素密度変換部１０は、スキャナ６およびプロッタ７の画像の画素密度と相手先の端末装置が伝送可能な画像の画素密度が相違する場合にそれらの画素密度を相互に変換するためのものである。
【００２７】
画像蓄積装置１１は、送信画信号、送信画情報、受信画情報および受信画信号などの種々の情報を蓄積するためのものである。
【００２８】
ＩＳＤＮインタフェース回路１２は、ＩＳＤＮと物理的に接続するためのものであり、レイヤ１信号制御部１３は、ＩＳＤＮのレイヤ１の信号処理機能およびＤチャネル（信号チャネル）の信号と２つのＢチャネル（情報チャネル）の信号の統合／分離機能を備えたものである。
【００２９】
Ｄチャネル伝送制御部１４は、Ｄチャネルを用いてＩＳＤＮと行なう呼制御処理などの伝送制御処理を行なうためのものであり、ＣＯＤＥＣ１５は、ＩＳＤＮのＢチャネルを用いてアナログ信号を伝送するためのアナログ信号／デジタルデータの信号変換処理を行なうためのものである。
【００３０】
Ｂチャネル伝送制御部１６は、ＩＳＤＮのＢチャネル（情報チャネル）を用いたグループ４ファクシミリ伝送制御処理のうちレイヤ２，３，４，５の伝送制御処理を行なうためのものである。
【００３１】
グループ３ファクシミリモデム１７は、グループ３ファクシミリのモデム機能を実現するためのものであり、伝送手順信号をやりとりするための低速モデム機能（Ｖ．２１モデム）、および、主に画情報をやりとりするための高速モデム機能（Ｖ．１７モデム、Ｖ．３４モデム、Ｖ．２９モデム、Ｖ．２７ｔｅｒモデムなど）を備えている。
【００３２】
切換器１８は、ＣＯＤＥＣ１５を、グループ３ファクシミリモデム１７、通話のためのハンドセット１９、または、呼出音などを出力するためのスピーカ２０のいずれかに切換接続するためのものである。
【００３３】
制御部１、システムメモリ２、パラメータメモリ３、キャラクタジェネレータ４，時計回路５、スキャナ６、プロッタ７、操作表示部８、符号化復号化部９、画素密度変換部１０、画像蓄積装置１１、レイヤ１信号制御部１３、Ｄチャネル伝送制御部１４、ＣＯＤＥＣ１５、Ｂチャネル伝送制御部１６、グループ３ファクシミリモデム１７、および、切換器１８は、内部バス２１に接続されており、これらの各要素間における各種情報のやりとりは、主としてこの内部バス２１を介して行なわれる。また、ハンドセット１９のフック状態をあらわすフック信号ＦＳは、内部バス２１を介して制御部１に加えられている。
【００３４】
図２（ａ）は、ＩＳＤＮに接続されている電話端末が、ＩＳＤＮとの間で行う呼制御手順の一例について示している。ＩＳＤＮファクシミリ装置も、呼制御手順については、本手順と同様な手順を実行する。
【００３５】
すなわち、発端末は、まず、転送モードとして回線交換モードを設定するとともに、着端末を宛先に指定した呼設定メッセージＳＥＴＵＰをＩＳＤＮに送出して着端末との呼設定を要求し、ＩＳＤＮは、指定された着端末に呼設定メッセージＳＥＴＵＰを送出して発呼する。また、ＩＳＤＮは、呼設定状況を通知するための呼設定受付メッセージＣＡＬＬ＿ＰＲＯＣを発端末に送出する。
【００３６】
着端末は、着信検出すると、自端末が着信可能な状態になっているときには、ＩＳＤＮに呼出メッセージＡＬＥＲＴを送出し、ＩＳＤＮは呼出メッセージＡＬＥＲＴを発端末に送出して着端末の呼出を開始したことを通知する。
【００３７】
着端末は、ユーザがハンドセットを取り上げて着信応答すると応答メッセージＣＯＮＮをＩＳＤＮに送出し、ＩＳＤＮは応答メッセージＣＯＮＮを発端末に送出して着端末が呼を受け付けたことを通知する。
【００３８】
また、ＩＳＤＮは、着端末に応答確認メッセージＣＯＮＮ＿ＡＣＫを送出して着端末の応答を確認し、その時点で、発端末と着端末の間にデータ伝送（通話）のためのＢチャネルが確立し、発端末のユーザと着端末のユーザとの間で、Ｂチャネルを用いた通話動作が適宜に実行される。
【００３９】
そして、通話が終了して発端末のユーザが先にハンドセットを戻してオンフックすると、発端末が切断メッセージＤＩＳＣをＩＳＤＮに送出してＢチャネルの解放を要求し、ＩＳＤＮは、解放メッセージＲＥＬを発端末に送出してＢチャネルの復旧を通知する。一方、着端末には、ＩＳＤＮが切断メッセージＤＩＳＣを送出してＢチャネルの解放を要求し、着端末が解放メッセージＲＥＬをＩＳＤＮに送出してＢチャネルの復旧を通知する。
【００４０】
これにより、発端末は、チャネル切断完了を通知する解放完了メッセージＲＥＬ＿ＣＯＭＰをＩＳＤＮに応答し、発端末とＩＳＤＮとの間のＢチャネルが解放される。それとともに、ＩＳＤＮは、解放完了メッセージＲＥＬ＿ＣＯＭＰを着端末に送出して、ＩＳＤＮと着端末との間のＢチャネルが解放される。それにより、発端末と着端末との間に設定されていたＢチャネルが完全に解放される。
【００４１】
このようにして、発端末と着端末との間にＢチャネルが設定されて、データ伝送が行われ、データ伝送が終了すると、Ｂチャネルが解放される。
【００４２】
また、着端末が着信応答できないときには、同図（ｂ）に示すように、着端末は、ＩＳＤＮより呼設定メッセージＳＥＴＵＰを受信すると、着信応答できない理由を含む解放完了メッセージＲＥＬ＿ＣＯＭＰをＩＳＤＮに応答する。
【００４３】
これにより、ＩＳＤＮは、そのときに着端末から受信した解放完了メッセージＲＥＬ＿ＣＯＭＰに含まれた理由を含めた解放メッセージＲＥＬを発端末に送出し、それにより、発端末は解放完了メッセージＲＥＬ＿ＣＯＭＰを応答して、呼を解放する。
【００４４】
また、ＩＳＤＮが発端末からの発呼を拒否するときには、同図（ｃ）に示すように、その拒否の理由を含む解放完了メッセージＲＥＬ＿ＣＯＭＰを発端末に応答する。これにより、発端末は、その呼を解放する。
【００４５】
なお、発端末が開始した呼接続が切断される場合、切断メッセージＤＩＳＣが発端末に応答され、切断／解放手順が開始される場合もある。
【００４６】
また、ＩＳＤＮの呼設定用のおのおののメッセージは、図３（ａ）に示すように、レイヤ３呼制御メッセージを規定するプロトコル仕様（フォーマット、シーケンスなど）を識別するためのプロトコル識別子、そのメッセージがどの呼に関与するものであるかを識別するための呼番号、それぞれのメッセージの内容を識別するためのメッセージタイプ、おのおののメッセージに必ず付加される必須情報要素、および、おのおののメッセージに必要に応じて付加される付加情報要素からなる。なお、必須情報要素は、メッセージタイプに応じて０，１または複数個が設定されており、付加情報要素は、その状況に応じて０，１または複数個が配置される。
【００４７】
呼設定メッセージＳＥＴＵＰは、同図（ｂ）に示すように、必須情報要素として「伝達能力」をもち、付加情報要素としては、例えば、「発番号」、「発サブアドレス」、「着番号」、「着サブアドレス」、「低位レイヤ整合性」、「高位レイヤ整合性」、および、「ユーザ・ユーザ」などの情報要素をもつ。
【００４８】
また、切断メッセージＤＩＳＣや解放完了メッセージＲＥＬ＿ＣＯＭＰは、同図（ｃ）に示すように、必須情報要素としては、例えば、「理由表示」をもち、付加情報要素としては、例えば、「表示」、および、「ユーザ・ユーザ」などの情報要素をもつ。
【００４９】
これらの情報要素の概略について説明する。
【００５０】
「伝達能力」情報要素は、伝送する情報の内容が、音声、非制限デジタル情報、制限デジタル情報、３．１ＫＨｚオーディオ、７ＫＨｚオーディオ、あるいは、ビデオのいずれかであるのかを示す情報転送能力、使用する交換機能が回線交換であるのかパケット交換であるのかを示す転送モード、情報転送の速度をあらわす情報転送速度、情報の転送形態をあらわす情報、および、ユーザ情報のプロトコルをあらわす情報などからなる。
【００５１】
「発番号」情報要素は、発端末のＩＳＤＮ番号をあらわし、「発サブアドレス」情報要素は、発端末側の端末識別などの用途に用いられるものであり、「着番号」情報要素は、着端末のＩＳＤＮ番号をあらわす。「着サブアドレス」情報要素は、「着サブアドレス」情報要素は、着端末側の端末識別などの用途に用いられるものである。
【００５２】
「低位レイヤ整合性」情報要素は、相手端末との通信可能性検査に使用されるためのものであり、基本的な内容は「伝達能力」情報要素と同一である。さらに、この「低位レイヤ整合性」情報要素には、より細かい内容が含まれる。
【００５３】
「高位レイヤ整合性」情報要素は、相手端末との整合性検査に使用するためのものであり、例えば、電話、グループ２／グループ３ファクシミリ、グループ４ファクシミリ、ミクストモード、テレテックス、ビデオテックス、テレックス、オーディオ・ビジュアル、あるいは、メッセージ・ハンドリング・システムなどの端末機能のうち、いずれの端末機能を備えているのかを表示する。
【００５４】
「ユーザ・ユーザ」情報要素は、ユーザ間の情報の伝達に用いるためのものであり、この「ユーザ・ユーザ」情報要素の内容は、ＩＳＤＮによって解釈されることなくトランスペアレントに転送されて相手ユーザに伝達される。
【００５５】
「理由表示」情報要素は、その情報要素を含むメッセージ（この場合、切断メッセージＤＩＳＣまたは解放完了メッセージＲＥＬ＿ＣＯＭＰ）が生成された理由や呼設定手順中に発生したエラーの理由などをあらわす診断情報などを通知するためのものである。
【００５６】
「表示」情報要素は、ＩＳＤＮからユーザに対する種々の表示情報をあらわすためのものである。
【００５７】
図４は、このＩＳＤＮファクシミリ装置が呼接続に関して実行する処理の一例を示している。
【００５８】
まず、端末機能をグループ４ファクシミリ装置機能に設定した状態で、上述した呼設定メッセージＳＥＴＵＰを作成してＩＳＤＮへ送出し、宛先へ発呼する（処理１０１）。
【００５９】
そして、ＩＳＤＮよりメッセージを受信するかどうかを監視する（判断１０２）。ＩＳＤＮよりメッセージを受信できない場合で、判断１０２の結果がＮＯになるときには、それが、所定のタイマＴ３０３（ＴＴＣ標準ＪＴ−Ｑ９３１参照）の１回目のタイムアウトであるかどうかを調べる（判断１０３）。
【００６０】
ここで、ＩＳＤＮよりメッセージを受信した場合で、判断１０２の結果がＹＥＳになるときには、その受信したメッセージが切断メッセージＤＩＳＣかあるいは解放完了メッセージＲＥＬ＿ＣＯＭＰであったかどうかを調べる（判断１０４）。
【００６１】
適切な呼接続が可能な場合で、判断１０４の結果がＮＯになるときには、それ以降は、所定の発呼処理を継続して実行し、そのときに設定された情報チャネルを用い、グループ４ファクシミリ装置機能を使用した画情報通信動作を実行する（図示略）。
【００６２】
一方、切断メッセージＤＩＳＣかあるいは解放完了メッセージＲＥＬ＿ＣＯＭＰを受信した場合で、判断１０４の結果がＹＥＳになるときには、受信したメッセージに「理由表示」情報要素が含まれていたかどうかを調べる（判断１０５）。
【００６３】
例えば、ＩＳＤＮの特異性などが原因となって「理由表示」情報要素が付加されていなかった場合で、判断１０５の結果がＹＥＳになるときには、このＩＳＤＮファクシミリ装置に強制フォールバックモードが設定されているかどうかを調べる（判断１０６）。ここで、強制フォールバックモードとは、グループ４ファクシミリ装置機能を用いて発呼動作したときに呼接続動作が失敗した場合、そのときの「理由表示」情報要素の値に関わらず、必ず（強制的に）グループ３ファクシミリ装置機能へ切り換えて再発呼動作を実行するモードである。
【００６４】
判断１０６の結果がＮＯになるときには、このＩＳＤＮファクシミリ装置に設定されているフォールバック条件が、理由表示値であるか、あるいは、ＴＴＣ標準ＪＴ−Ｑ９３１に規定されたＤチャネルレイヤ３における呼設定手順のステートをあらわす状態値であるかを判断する（判断１０７）。
【００６５】
フォールバック条件がステートの状態値である場合、そのときのステートの状態値が、呼接続完了以前のステートをあらわす値、すなわち、空状態をあらわす状態番号「０」、発呼状態をあらわす状態番号「１」、分割発呼状態をあらわす状態番号「２」、発呼受付状態をあらわす状態番号「３」、あるいは、呼出通知状態をあらわす状態番号「４」のいずれかであって、フォールバックステートに設定されている状態値であるかどうかを調べる（判断１０８）。
【００６６】
判断１０８の結果がＮＯになるときには、フォールバックせず、したがって、端末機能をグループ４ファクシミリ装置機能に再設定した状態で、再発呼待機状態へ移行し（処理１０９）、所定の再発呼手順処理を実行する。
【００６７】
また、判断１０７でフォールバック条件が理由表示値である場合、その内容が特定の理由をあらわす内容であるかどうかを調べる（判断１１０）。ここで特定の理由とは、「＃１６：正常終了」などがある。
【００６８】
そして、判断１１０の結果がＹＥＳになるときには、同一端末機能での再発呼動作へ移行するため、処理１０９へ移行し、また、判断１１０の結果がＮＯになるときには、フォールバック動作を行うために、端末機能をグループ３ファクシミリ装置機能に設定した状態で、所定のフォールバック手順処理を実行し（処理１１１）、次の発呼手順処理へと進む。
【００６９】
また、フォールバック条件がステートである場合で、そのときのステートの状態値が呼接続完了以前のステートをあらわす値であり、判断１０８の結果がＹＥＳになるときには、判断１１０へ移行し、その内容を検査し、その検査結果に従った処理を実行する。すなわち、この場合、フォールバックするステートであっても、理由表示値の内容によって、Ｇ３ＦＡＸへのフォールバック手順またはＧ４ＦＡＸでの再発呼手順のいずれかが起動される。
【００７０】
また、そのときに強制フォールバックモードが設定されている場合で、判断１０６の結果がＹＥＳになるときには、処理１１１へ移行し、所定のフォールバック手順の処理を実行する。
【００７１】
また、受信したメッセージに「理由表示」情報要素が含まれていない場合で、判断１０５の結果がＮＯになるときには、処理１１１へ移行し、所定のフォールバック手順の処理を実行する。
【００７２】
一方、上述したように、ＩＳＤＮよりメッセージを受信できない場合で、判断１０２の結果がＮＯになるときには、それが、所定のタイマＴ３０３（ＴＴＣ標準ＪＴ−Ｑ９３１参照）の１回目のタイムアウトであるかどうかを調べる（判断１０３）。
【００７３】
２回目以降のタイムアウトであり、判断１０３の結果が結果がＮＯになるときには、解放完了メッセージＲＥＬ＿ＣＯＭＰをＩＳＤＮへ送出してそのときの呼接続動作を自端末より切断する（処理１１２）。このとき、呼切断の要因が、自端末側のタイムアウトであることが判明しており、また、呼設定手順のステートをあらわす状態値は、発呼状態をあらわす状態番号「１」となるので、判断１０６へ移行し、それ以降の処理を実行する。
【００７４】
また、通信中に何らかの原因で呼切断された場合には、切断メッセージＤＩＳＣを受信したときのステートの状態値が通信中状態をあらわす状態番号「１０」となるので、この場合、判断１０８の結果がＮＯとなり、処理１０９へ移行するので、同一端末機能での再発呼動作が行われる。
【００７５】
また、何らかの要因によりＩＳＤＮの交換機がリセットされた場合には、交換機側で記憶している端末終端点識別子ＴＥＩもリセットされてしまう。このような状態の時にＩＳＤＮファクシミリ装置から発呼動作する場合、ＩＳＤＮファクシミリ装置では既に割り当てられている端末終端点識別子ＴＥＩを使用して発呼するが、その端末終端点識別子ＴＥＩの値は、ＩＳＤＮの交換機では未知の値と判断されるので、Ｄチャネルレイヤ２が正常に起動せず、そのときの発呼動作が失敗する。
【００７６】
この場合、Ｄチャネルレイヤ３は、起動前なので、空状態をあらわす状態番号「０」となり、したがって、本実施例では、フォールバック手順が実行されるので、新しく発呼動作が実行され、適切な再発呼動作を行うことができる。
【００７７】
このようにして、本実施例では、ＩＳＤＮの特異性や規格の変更、あるいは、理由表示情報要素の利用状況（頻度）等に影響されず、フォールバック手順を起動することができるので、適切な再発呼動作が可能となり、通信動作を適切に実行することができる。
【００７８】
また、フォールバックする条件をＤチャネルレイヤ３のステートの状態値により判断するので、理由表示情報要素の値に依存せずに、呼接続完了以前の全ての呼切断に対してフォールバック手順を起動することができ、ユーザに端末属性を意識させることなく、接続不能となる状況を最大限に回避することができ、端末の利便性が向上する。
【００７９】
ところで、上述した実施例では、グループ４ファクシミリ装置機能からグループ３ファクシミリ装置機能へフォールバックする場合について説明したが、例えば、グループ３ファクシミリ装置機能を使用する場合でも、「伝達能力」情報要素の値が「３．１ＫＨｚオーディオ」で、「高位レイヤ整合性」情報要素の値が「Ｇ３ファクシミリ」の発呼パラメータを使用する場合と、「伝達能力」情報要素の値が「通話」の発呼パラメータを使用する場合の２通りがある。このように発呼パラメータについても同一通信機能で２通りある場合には、それぞれの発呼パラメータの間にフォールバックの関係があるので、上述した実施例と同様の処理により、呼接続動作を制御することができる。
【００８０】
また、上述した実施例では、ＩＳＤＮを伝送路として用いるとともに、グループ３ファクシミリ装置機能、グループ４ファクシミリ装置機能、および、通話機能を備えたＩＳＤＮファクシミリ装置に本発明を適用した場合について説明したが、本発明は、フォールバックの関係にある複数の端末機能または複数の発呼パラメータを備えたＩＳＤＮ通信端末装置であれば、それ以外の装置についても同様にして適用することができる。
【００８１】
【発明の効果】
以上説明したように、本発明によれば、ＩＳＤＮの特異性や規格の変更、あるいは、理由表示情報要素の利用状況（頻度）等に影響されず、フォールバック手順を起動することができるので、適切な再発呼動作が可能となり、通信動作を適切に実行することができるという効果を得る。
【００８２】
また、フォールバックする条件をＤチャネルレイヤ３のステートの状態値により判断するので、理由表示情報要素の値に依存せずに、呼接続完了以前の全ての呼切断に対してフォールバック手順を起動することができ、ユーザに端末属性を意識させることなく、接続不能となる状況を最大限に回避することができ、端末の利便性が向上するという効果も得る。
【図面の簡単な説明】
【図１】本発明の一実施例にかかるＩＳＤＮファクシミリ装置の構成を示したブロック図。
【図２】ＩＳＤＮに接続されている端末が、ＩＳＤＮとの間で行う呼制御手順の一例について示したタイミングチャート。
【図３】ＩＳＤＮの呼設定用のおのおののメッセージの信号形式の一例を示した概略図。
【図４】このＩＳＤＮファクシミリ装置が呼接続に関して実行する処理の一例を示したフローチャート。
【符号の説明】
１  制御部
２  システムメモリ
【図１】
0003845223.tif 000002
【図２】
0003845223.tif 000003
【図３】
0003845223.tif 000004
【図４】
0003845223.tif 000005